(57)【要約】      （修正有）【課題】屋根などに積もった雪を、屋根などに登ることなく、安全かつ容易に降ろす事が出来る雪降ろし器具を提供する。【解決手段】雪塊を地上に落下させるための滑りシート４を水平板と垂直板とで構成された雪切り体１の底部に施し、その底部左右中央に設けられた取っ手受け部２に差し込み先端を半紡錘型にした取っ手３を差し込んで雪降ろし器具とする。板状の雪切り体１には軽量で耐水性に優れたポリカボネートや金属素材を使用し、かつ雪切り体１の走行方向の端部は積雪内部にスムーズに侵入するための丸め加工を施して抵抗を減らし、滑りシート４は耐水性と滑走性に優れたプラスチック素材を使用し、取っ手３は軽量で強度に優れた円筒状のアルミやグラスファイバーを使用する。【選択図】図１
0003181867.tif 000002
【実用新案登録請求の範囲】
【請求項１】
水平板と垂直板とで構成された雪切り体に滑りシートを施し、雪切り体に設けられた取っ手受け部に取っ手を差し込まれたことを特徴とした雪降ろし器具。
【請求項２】
請求項１における雪切り体がＵ字型とし、取っ手受け部の上部に雪割り板を設けた雪降ろし器具。
【請求項３】
請求項１における雪切り体をＬ字型とした雪降ろし器具。
【請求項４】
請求項１における雪切り体を箱型とし、その上部に下向きに設けられた抜き差し自由な取っ手締めつけネジを持つ取っ手受け部と、そこに取っ手を差し込まれたことを特徴とした雪降ろし器具。
【考案の詳細な説明】
【技術分野】
【０００１】  本考案は、屋根などに積もった雪を容易に降ろす器具に関するものである。
【背景技術】
【０００２】  従来の降雪地方の雪降ろしは、屋根に直接登りスコップなどで除雪作業しており甚大な危険と労力を要していた。
【先行技術文献】
【特許文献】
【０００３】
【特許文献１】  登録実用新案第３１２０８８０号
【考案の概要】
【考案が解決しようとする課題】
【０００４】  特許文献１における一対の車輪を取り付けることなく、雪切り本体のスムーズな直進性を確保する。
【課題を解決するための手段】
【０００５】  本考案は、一対の車輪を取り付けることなく、水平板と垂直板とで構成された雪切り体にすることにより簡素で軽量、かつ安定した直進性を確保する。
【考案の効果】
【０００６】  地上の操作人が、取っ手で軽量で安定した直進性ある雪切り体を操り、切り取られた雪塊が滑りシートに沿って速やかに地上へ落下させることで、屋根に登ることなく安全で容易な雪降ろし作業を可能にするものである。【０００７】  請求項４においては、屋根の棟上の操作人が取っ手締めつけネジを緩め取っ手を反対側に移動させた取っ手を操り、軒下側から雪切り体を引き上げる操作によって切り取られた雪塊が滑りシートに沿って速やかに地上へ落下させ、容易な雪降ろし作業を可能にするものである。
【図面の簡単な説明】
【０００８】
【図１】本考案の請求項１の斜視図である。
【図２】本考案の請求項２の斜視図である。
【図３】取っ手に被せた半紡錘型キャップの断面図である。
【図４】取っ手に被せた滑り止めグリップの斜視図である。
【図５】本考案の請求項３の斜視図である。
【図６】本考案の請求項４の斜視図である。
【図７】本考案の請求項４の取っ手締めつけネジの断面図である。
【図８】本考案の請求項４の取っ手を移動させる実施例の斜視図である。
【図９】本考案の請求項４の屋根上仕様の箱形雪降ろし器具の使用図である。
【考案を実施するための形態】
【０００９】  以下、本考案の実施の形態を添付図面に従って説明する。
図１においては、雪塊を地上に落下させるための滑りシート４を水平板と垂直板とで構成された雪切り体１の底部に施し、その底部左右中央に設けられた取っ手受け部２に差し込み先端を半紡錘型にした取っ手３を差し込まれた雪降ろし器具。
【００１０】  図２においては、請求項１の雪切り体１をＵ字型とし、取っ手受け部２上部に雪割り板５を設けることにより、雪塊が取っ手３に沿って操作人に落下するのを、雪塊が左右に割れることで防ぐことができる。
【００１１】  図３においては、請求項１の取っ手３の差し込み先端を半紡錘型の加工をせずに、半紡錘型キャップを被せることで、雪切り体１や取っ手３がスムーズに積雪内部に侵入することができる。
【００１２】  図４においては、請求項１の取っ手３の手元部に滑り止めグリップを設けることで取っ手３を滑らず扱い易くできる。
【００１３】  図５においては、雪塊を地上に落下させるための滑りシート４を板状でＬ字型の雪切り体８の底部に施し、その内角に設けられた取っ手受け部２に取っ手３を差し込まれた請求項１より、より簡素で軽量な雪降ろし器具。
【００１４】  図６においては、雪塊を地上に落下させるための滑りシート４を板状で箱型の雪切り体９の底部に施し、その上部の左右中央に設けられた抜き差し自由な取っ手締めつけネジ１０を持つ取っ手受け部２と、そこに取っ手３を差し込まれた雪降ろし器具。
【００１５】  図７においては、請求項４の箱型の雪切り体９の取っ手受け部２に埋め込まれた取っ手締めつけネジ１０の断面図。
【００１６】  図８においては、請求項４の取っ手締めつけネジ１０を緩めて取っ手３を反対側に移動した後、再び締めつけることにより屋根の棟上から取っ手３を操り軒下側から雪切り体を引き上げる操作によって切り取られた雪塊が滑りシート４に沿って速やかに地上へ落下する雪降ろし器具。
【００１７】  図９においては、請求項４の屋根上仕様の箱型雪降ろし器具１２を棟上の操作人１１が引き上げる操作により切り取られた雪塊１３が速やかに地上に落とす、という使用図。
【実施例】
【００１８】  以下、本考案の実施例を添付図面に従って説明する。
図１においては、板状の雪切り体１には軽量で耐水性に優れたポリカボネートや金属素材を使用し、かつ雪切り体１の走行方向の端部は積雪内部にスムーズに侵入するための丸め加工を施して抵抗を減らし、滑りシート４は耐水性と滑走性に優れたプラスチック素材を使用し、取っ手３は軽量で強度に優れた円筒状のアルミやグラスファイバーを使用する。
これらの素材と加工は請求項３と請求項４においても共通である。
【符号の説明】
【００１９】  １  Ｕ字型の雪切り体
２  取っ手受け部
３  取っ手
４  滑りシート
５  雪割り板
６  半紡錘型キャップ
７  滑り止めグリップ
８  Ｌ字型の雪切り体
９  箱型の雪切り体
１０  取っ手締めつけネジ
１１  操作人
１２  屋根上仕様の箱型雪降ろし器具
１３  切り取られた雪塊
【図１】
0003181867.tif 000003
【図２】
0003181867.tif 000004
【図３】
0003181867.tif 000005
【図４】
0003181867.tif 000006
【図５】
0003181867.tif 000007
【図６】
0003181867.tif 000008
【図７】
0003181867.tif 000009
【図８】
0003181867.tif 000010
【図９】
0003181867.tif 000011
【手続補正書】
【提出日】平成24年12月10日(2012.12.10)
【手続補正１】
【補正対象書類名】実用新案登録請求の範囲
【補正対象項目名】全文
【補正方法】変更
【補正の内容】
【実用新案登録請求の範囲】
【請求項１】
水平板と垂直板とで構成された雪切り体と、水平板に施された滑りシートと、雪切り体に設けられた取っ手受け部に差し込まれた取っ手からなることを特徴とした雪降ろし器具。
【請求項２】
前記雪切り体がＵ字型とし、取っ手受け部の上部に雪割り板を設けた請求項１に記載の雪降ろし器具。
【請求項３】
前記雪切り体をＬ字型とした請求項１に記載の雪降ろし器具。
【請求項４】
前記雪切り体を箱型とし、その上部に下向きに設けられた抜き差し自由な取っ手締めつけネジを持つ取っ手受け部と、そこに取っ手を差し込まれたことを特徴とした請求項１に記載の雪降ろし器具。